(57)【要約】【課題】防水仕様の電子機器に対応することができ、且つ、当該電子機器内へのカードの出し入れを容易に行うことができるトレイ式カードコネクタの提供。【解決手段】カードトレイ２と、トレイ挿入部を有するハウジング３と、トレイ挿入部５内に突出するようにハウジング３に配設された複数のコンタクト６，６...とを備え、電子機器Ａの筐体外側面部に開口した筐体開口部に嵌り込む前面蓋部４をカードトレイ２の前端部に備えるとともに、前面蓋部４の外周部に弾性材からなる環状の蓋用止水部材３７を備え、前面蓋部４が筐体開口部内に嵌り込む際、筐体開口部の内面と前面蓋部４の外面との隙間が蓋用止水部材３７で封止されるようにしたトレイ式カードコネクタ１。【選択図】図１
2015106554.tif 000002
【特許請求の範囲】
【請求項１】
カードが収容されるカードトレイと、該カードトレイが挿入されるトレイ挿入部を有するハウジングと、該トレイ挿入部内に突出するように前記ハウジングに配設された複数のコンタクトとを備え、前記カードトレイをトレイ挿入部に挿入することにより、前記カードトレイに収容されたカードに形成された各パッド部が前記各コンタクトと接触するようにしたトレイ式カードコネクタにおいて、
電子機器の筐体外側面部に開口した筐体開口部に嵌り込む前面蓋部を前記カードトレイの前端部に備えるとともに、前記前面蓋部の外周部に弾性材からなる環状の蓋用止水部材を備え、
前記前面蓋部が筐体開口部内に嵌り込む際、該筐体開口部の内面と前記前面蓋部の外面との隙間が蓋用止水部材で封止されるようにしたことを特徴としてなるトレイ式カードコネクタ。
【請求項２】
トレイ挿抜方向で移動可能に前記ハウジングの側部に配置された操作用部材と、該操作用部材の押し込み動作に連動して前記カードトレイを抜け出し方向に押し出すトレイ押出し手段と、前記前面蓋部に前記操作用部材と連続配置に形成されたピン挿通孔と、該ピン挿通孔内に移動可能に収容された止水ピンとを備え、該止水ピンの移動に連動して前記操作用部材が押し込み動作されるようにし、
該止水ピンの外周部に弾性材からなる環状のピン用止水部材を備え、前記ピン挿通孔内面と前記止水ピンの外面との隙間が前記ピン用止水部材で封止されるようにした請求項１に記載のトレイ式カードコネクタ。
【請求項３】
前記止水ピンには、外向きに張り出して前記ピン挿通孔の後端開口縁部と係合する抜け出し防止部を備え、前記止水ピンが前記ピン挿通孔に移動可能、且つ、抜け出し不能に収容されてなる請求項２に記載のトレイ式カードコネクタ。
【請求項４】
前記止水ピンは、前記操作用部材と一体に形成された請求項２又は３に記載のトレイ式カードコネクタ。
【請求項５】
前記カードトレイは、前記前面蓋部を前記カードが収容されるトレイ本体の前端部に該トレイ本体に対し相対移動可能に備えるとともに、前記トレイ本体に対し所望の引き出し位置まで相対移動させた前記前面蓋部に作用するトレイ引き出し方向の力を前記トレイ本体に伝達する伝達手段とを備え、前記トレイ本体に対し前記前面蓋部を相対移動させ、該前面蓋部を摘み代として前記カードトレイを引き出すようにした請求項１に記載のトレイ式カードコネクタ。
【請求項６】
前記カードトレイとともに移動するイジェクタと、該イジェクタを押し出し方向に付勢する押し出しバネと、前記ハウジング又はイジェクタの何れか一方に配置されたハートカムと、該ハートカムの周りに配されたループ状のピンガイド溝と、一端に前記ピンガイド溝に摺動可能に挿入された係合ピン部を有し、他端が前記ハウジング又はイジェクタの何れか他方に回動可能に支持されたロックピンとを備え、
初めのカードトレイ押し込み動作により前記係合ピン部が前記ハートカムと係合する位置に移動し、前記イジェクタのトレイ押し出し方向の移動が規制され、再度のカードトレイ押し込み動作により前記係合ピン部が前記ハートカムより離脱して係合が解除されるようにした請求項１に記載のトレイ式カードコネクタ。
【発明の詳細な説明】
【技術分野】
【０００１】
本発明は、携帯電話機やスマートフォン、その他の電子機器内にＩＣカードやフラッシュメモリーカード等のカードを接続するためのカードコネクタに関し、特に、防水仕様の電子機器に対応したトレイ式カードコネクタに関する。
【背景技術】
【０００２】
従来、携帯電話機やスマートフォン等の電子機器の外部記憶媒体には、ＩＣカードやフラッシュメモリーカード等のカードが使用されており、このカードと電子機器に搭載されたプリント配線基板とをカードコネクタを介して電気的に接続させている。
【０００３】
カードコネクタには、電子機器内に配置されるハウジングと、電子機器の筐体外側面部に開口した筐体開口部を通してハウジングに挿入されるカードトレイと、ハウジング内に配設された複数のコンタクトとを備えたものが知られ、筐体開口部を通してカードトレイをハウジングに挿入することにより、カードトレイの前端部に配置された前面蓋部が筐体開口部内に嵌り込むようになっている。
【０００４】
また、このようなトレイ式カードコネクタでは、カードトレイの前面蓋部が筐体開口部に嵌り込むと、カードトレイを容易に取り出せないことから、電子機器筐体外側からの操作によりカードトレイをハウジング及び電子機器より取出せるようにしたトレイ取出し機構を備えている。
【０００５】
電子機器筐体外部より操作可能なトレイ取出し機構としては、例えば、ハウジングの側部に押し込み可能に配置された操作用部材と、操作用部材の押し込み動作に連動して回動する回動レバーとを備えるとともに、カードトレイの前面蓋部又は筐体の外側面部に操作用部材と連続配置に開口したピン挿通孔を設け、このピン挿通孔を通して筐体外部よりピン部材をハウジングに挿入して操作用部材を押し込み、操作用部材で回動レバーの一端を押して当該回動レバーを回動させ、その回動レバーの他端側でカードトレイの奥側縁を排出方向に押し出すようにしたピンイジェクト方式のもの等が知られている（例えば、特許文献１を参照）。
【先行技術文献】
【特許文献】
【０００６】
【特許文献１】特開２０１３−５１１３４号公報
【発明の概要】
【発明が解決しようとする課題】
【０００７】
しかしながら、携帯電話機やスマートフォン等の電子機器では、その使用態様の多様化に伴い、電子機器全体を防水仕様とすることが求められ、その為、筐体開口部から電子機器内部への水の侵入を防止する構造が必要とされる。
【０００８】
また、上述の如き従来のピンイジェクト方式のトレイ取出し機構を備えたカードコネクタの場合、電子機器筐体の外側から操作用部材又は回動レバーを操作するためには、前面蓋部又は電子機器筐体にピン挿通孔を設け、そのピン挿通孔よりピンを電子機器内に挿し込み、そのピンで操作用部材又は回動レバーを押し込むようになっており、ピン挿通孔が電子機器筐体の内外で貫通しているため防水仕様に対応できないという問題があった。
【０００９】
そこで本発明は、このような従来の問題に鑑み、防水仕様の電子機器に対応することができ、且つ、当該電子機器内へのカードの出し入れを容易に行うことができるトレイ式カードコネクタの提供を目的としてなされたものである。
【課題を解決するための手段】
【００１０】
上述の如き従来の問題を解決し、所期の目的を達成するための請求項1に記載の発明の特徴は、カードが収容されるカードトレイと、該カードトレイが挿入されるトレイ挿入部を有するハウジングと、該トレイ挿入部内に突出するように前記ハウジングに配設された複数のコンタクトとを備え、前記カードトレイをトレイ挿入部に挿入することにより、前記カードトレイに収容されたカードに形成された各パッド部が前記各コンタクトと接触するようにしたトレイ式カードコネクタにおいて、電子機器の筐体外側面部に開口した筐体開口部に嵌り込む前面蓋部を前記カードトレイの前端部に備えるとともに、前記前面蓋部の外周部に弾性材からなる環状の蓋用止水部材を備え、前記前面蓋部が筐体開口部内に嵌り込む際、該筐体開口部の内面と前記前面蓋部の外面との隙間が蓋用止水部材で封止されるようにしたトレイ式カードコネクタにある。
【００１１】
請求項２に記載の発明の特徴は、請求項１の構成に加え、トレイ挿抜方向で移動可能に前記ハウジングの側部に配置された操作用部材と、該操作用部材の押し込み動作に連動して前記カードトレイを抜け出し方向に押し出すトレイ押出し手段と、前記前面蓋部に前記操作用部材と連続配置に形成されたピン挿通孔と、該ピン挿通孔内に移動可能に収容された止水ピンとを備え、該止水ピンの移動に連動して前記操作用部材が押し込み動作されるようにし、該止水ピンの外周部に弾性材からなる環状のピン用止水部材を備え、前記ピン挿通孔内面と前記止水ピンの外面との隙間が前記ピン用止水部材で封止されるようにしたことにある。
【００１２】
請求項３に記載の発明の特徴は、請求項２の構成に加え、前記止水ピンには、外向きに張り出して前記ピン挿通孔の後端開口縁部と係合する抜け出し防止部を備え、前記止水ピンが前記ピン挿通孔に移動可能、且つ、抜け出し不能に収容されてなることにある。
【００１３】
請求項４に記載の発明の特徴は、請求項２又は３の構成に加え、前記止水ピンは、前記操作用部材と一体に形成されたことにある。
【００１４】
請求項５に記載の発明の特徴は、請求項１の構成に加え、前記カードトレイは、前記前面蓋部を前記カードが収容されるトレイ本体の前端部に該トレイ本体に対し相対移動可能に備えるとともに、前記トレイ本体に対し所望の引き出し位置まで相対移動させた前記前面蓋部に作用するトレイ引き出し方向の力を前記トレイ本体に伝達する伝達手段とを備え、前記トレイ本体に対し前記前面蓋部を相対移動させ、該前面蓋部を摘み代として前記カードトレイを引き出すようにしたことにある。
【００１５】
請求項６に記載の発明の特徴は、請求項１の構成に加え、前記カードトレイとともに移動するイジェクタと、該イジェクタを押し出し方向に付勢する押し出しバネと、前記ハウジング又はイジェクタの何れか一方に配置されたハートカムと、該ハートカムの周りに配されたループ状のピンガイド溝と、一端に前記ピンガイド溝に摺動可能に挿入された係合ピン部を有し、他端が前記ハウジング又はイジェクタの何れか他方に回動可能に支持されたロックピンとを備え、初めのカードトレイ押し込み動作により前記係合ピン部が前記ハートカムと係合する位置に移動し、前記イジェクタのトレイ押し出し方向の移動が規制され、再度のカードトレイ押し込み動作により前記係合ピン部が前記ハートカムより離脱して係合が解除されるようにしたことにある。
【発明の効果】
【００１６】
本発明に係るカードコネクタは、上述したように、カードが収容されるカードトレイと、該カードトレイが挿入されるトレイ挿入部を有するハウジングと、該トレイ挿入部内に突出するように前記ハウジングに配設された複数のコンタクトとを備え、前記カードトレイをトレイ挿入部に挿入することにより、前記カードトレイに収容されたカードに形成された各パッド部が前記各コンタクトと接触するようにしたトレイ式カードコネクタにおいて、電子機器の筐体外側面部に開口した筐体開口部に嵌り込む前面蓋部を前記カードトレイの前端部に備えるとともに、前記前面蓋部の外周部に弾性材からなる環状の蓋用止水部材を備え、前記前面蓋部が筐体開口部内に嵌り込む際、該筐体開口部の内面と前記前面蓋部の外面との隙間が蓋用止水部材で封止されるようにしたことにより、防水仕様の電子機器に対応するとともに、電子機器に対するカードの出し入れを容易に行うことができる。
【００１７】
また、本発明において、トレイ挿抜方向で移動可能に前記ハウジングの側部に配置された操作用部材と、該操作用部材の押し込み動作に連動して前記カードトレイを抜け出し方向に押し出すトレイ押出し手段と、前記前面蓋部に前記操作用部材と連続配置に形成されたピン挿通孔と、該ピン挿通孔内に移動可能に収容された止水ピンとを備え、該止水ピンの移動に連動して前記操作用部材が押し込み動作されるようにし、該止水ピンの外周部に弾性材からなる環状のピン用止水部材を備え、前記ピン挿通孔内面と前記止水ピンの外面との隙間が前記ピン用止水部材で封止されるようにしたことにより、所謂ピンイジェクト方式のカードコネクタであっても防水仕様に対応することができる。
【００１８】
更に本発明において、前記止水ピンには、外向きに張り出して前記ピン挿通孔の後端開口縁部と係合する抜け出し防止部を備え、前記止水ピンが前記ピン挿通孔に移動可能、且つ、抜け出し不能に収容されてなることにより、止水ピンを前面蓋部に好適に保持することができる。
【００１９】
更にまた、本発明において、前記止水ピンは、前記操作用部材と一体に形成されたことにより、部品点数を減らすことができる。
【００２０】
また、本発明において、前記カードトレイは、前記前面蓋部を前記カードが収容されるトレイ本体の前端部に該トレイ本体に対し相対移動可能に備えるとともに、前記トレイ本体に対し所望の引き出し位置まで相対移動させた前記前面蓋部に作用するトレイ引き出し方向の力を前記トレイ本体に伝達する伝達手段とを備え、前記トレイ本体に対し前記前面蓋部を相対移動させ、該前面蓋部を摘み代として前記カードトレイを引き出すようにしたことにより、カードトレイを電子機器に挿入した状態では前面蓋部及び蓋用止水部材で筐体開口部を好適に水密でき、カードトレイを引き出す際には、前面蓋部には蓋用止水部材による抵抗のみが作用するのでトレイ本体に対し前面蓋部を小さな力で引き出すことができ、引き出された後は前面蓋部を摘み代にして一定以上の力をカードトレイ全体に作用させることができるので容易にカードトレイをハウジング及び電子機器より引き出すことができる。
【００２１】
また、本発明において、前記カードトレイとともに移動するイジェクタと、該イジェクタを押し出し方向に付勢する押し出しバネと、前記ハウジング又はイジェクタの何れか一方に配置されたハートカムと、該ハートカムの周りに配されたループ状のピンガイド溝と、一端に前記ピンガイド溝に摺動可能に挿入された係合ピン部を有し、他端が前記ハウジング又はイジェクタの何れか他方に回動可能に支持されたロックピンとを備え、初めのカードトレイ押し込み動作により前記係合ピン部が前記ハートカムと係合する位置に移動し、前記イジェクタのトレイ押し出し方向の移動が規制され、再度のカードトレイ押し込み動作により前記係合ピン部が前記ハートカムより離脱して係合が解除されるようにしたことにより、カードトレイを電子機器に挿入した状態では前面蓋部及び蓋用止水部材で筐体開口部を好適に水密でき、カードトレイを引き出す際にはカードトレイの押し込み動作のみで容易に引き出すことができる。
【図面の簡単な説明】
【００２２】
【図１】本発明に係るトレイ式カードコネクタの一例を示す斜視図である。
【図２】同上の分解斜視図である。
【図３】図２中のカードトレイを示す斜視図である。
【図４】同上のカードトレイの前面蓋部部分を示す部分拡大横断面図である。
【図５】図１中のトレイ式カードコネクタを電子機器に組み込んだ状態を示す部分破断横断面図である。
【図６】同上のカードトレイの取出し動作時の状態を示す部分破断横断面図である。
【図７】本発明に係るトレイ式カードコネクタの他の例を示す図である。
【図８】（ａ）は図８中のカードトレイを示す斜視図、（ｂ）は同下側から見た斜視図である。
【図９】（ａ）は図８中のトレイ式カードコネクタの使用状態を示す部分破断断面図、（ｂ）は同縦断面図である。
【図１０】（ａ）は同上のカードコネクタのカードトレイ引き出し時の状態を示す部分破断断面図、（ｂ）は同縦断面図である。
【図１１】本発明に係るトレイ式カードコネクタの第３の実施例を示す斜視図である。
【図１２】同上の横断面図である。
【図１３】（ａ）〜（ｃ）は同上のトレイ式カードコネクタの取出し時の手順を示す横断面図である。
【発明を実施するための形態】
【００２３】
次に、本発明に係るトレイ式カードコネクタ１の第１の実施態様を図１〜図６に示した実施例に基づいて説明する。
【００２４】
尚、図中符号Ａは携帯電話機やスマートフォン等の電子機器、符号ＢはＩＣカード等のカードである。また、本実施例においては、カードトレイ挿抜方向の手前側を前、奥側を後として説明する。
【００２５】
電子機器Ａは、ＩＣカード等のカードＢの接続にトレイ式カードコネクタ１を使用し、その筐体の外側面部に開口した筐体開口部Ａａを通してカードトレイ２を電子機器Ａ内に対し出し入れすることにより、電子機器Ａ内に配置したハウジング３に対しカードＢを着脱できるとともにカードトレイ２の前端部に備えられた前面蓋部４によって筐体開口部Ａａを閉鎖できる構造になっている。
【００２６】
カードＢは、例えば、矩形状のＩＣカードであって、片面側に複数の信号伝達用のパッド部ｂ１，ｂ１...を備えている。
【００２７】
カードコネクタ１は、図１、図２に示すように、カードＢが収容されるカードトレイ２と、カードトレイ２が挿入されるトレイ挿入部５を有するハウジング３と、トレイ挿入部５内に突出するようにハウジング３に配設された複数のコンタクト６，６...とを備え、筐体開口部Ａａを通してカードトレイ２をハウジング３に挿入することにより、カードトレイ２に収容されたカードＢの各パッド部ｂ１，ｂ１...が対応する各コンタクト６，６...と接触し、カードＢとカードコネクタ１が実装された基板とを電気的に接続するようになっている。
【００２８】
また、このカードコネクタ１は、カードトレイ２をハウジング３より取出すための取出し機構を備え、この取出し機構によりカードトレイ２をハウジング３及び電子機器Ａ筐体より取出せるようになっている。
【００２９】
ハウジング３は、図２に示すように、絶縁性合成樹脂製の底板部１２を有するハウジング本体１０と、導電性金属製のシールドカバー１１とを組み付けることによりトレイ挿入部５が前面に開口した中空箱状に形成され、前面の開口よりカードトレイ２を出し入れするようになっている。
【００３０】
ハウジング本体１０は、平板状の底板部１２と、底板部１２の両側縁部より立ち上げた形状の側壁部１３，１４とを備え、底板部１２と両側壁部１３，１４とによって、上面側が凹んだ形状のトレイ挿入部５が形成され、その上面がシールドカバー１１の天板によって覆われて前面に開口した中空箱状を成すようになっている。
【００３１】
このハウジング本体１０の底板部１２には、導電性金属板材を打ち抜き・折り曲げ加工することにより形成された複数のコンタクト６，６...がインサート成形により組み込まれ、各コンタクト６，６...の弾性接触片部１５，１５...がトレイ挿入部５内に突出し、弾性接触片部１５先端の接点１５ａがカードＢの対応するパッド部ｂ１と接触するようになっている。
【００３２】
また、このハウジング本体１０には、一方の側壁部１３の内側に棒状の操作用部材２０をトレイ挿抜方向でスライド移動可能に保持する操作用部材保持部２１を備え、この操作用部材保持部２１に操作用部材２０がトレイ挿抜方向で押し込み可能に備えられている。
【００３３】
そして、ハウジング３には、このトレイ挿抜方向に押し込み可能な操作用部材２０と、操作用部材２０の押し込み動作に連動してカードトレイ２を抜け出し方向に押し出すトレイ押出し手段とによってトレイ取出し機構が構成されている。
【００３４】
トレイ押出し手段は、ハウジング本体１０の操作用部材２０側後方に回動可能に配置された回動レバー２２を備え、この回動レバー２２は、操作用部材２０を押し込み方向に動作させることにより、回動レバー２２の一端２２ａが操作用部材２０の先端に押されることで回動し、それに伴い、回動レバー２２の他端２２ｂがカードトレイ２の後縁を抜き出し方向に押し出すようになっている。
【００３５】
操作用部材２０は、細長棒状に形成され、前端部に外向きに折り曲げた形状の被押圧部２３が一体に形成され、平面視逆Ｌ字状を成している。
【００３６】
カードトレイ２は、図３に示すように、カードＢが収容されるトレイ本体３０と、トレイ本体３０の前端部にフランジ状に固定された前面蓋部４とを備えている。
【００３７】
トレイ本体３０は、絶縁性合成樹脂材により平板状に形成され、片面側よりカードＢが嵌り込む板厚方向に貫通した矩形孔状のカード収容部３１を備えている。
【００３８】
また、トレイ本体３０には、両側部にハウジング３に設けられたばね状の係合部材３２と係合する係合凹部３３，３３が形成され、この係合凹部３３，３３が係合部材３２と係合することにより、カードトレイ２がハウジング３に対し所謂ハーフロックされた状態となる。
【００３９】
カード収容部３１は、カードＢの形状に整合した矩形孔状に形成され、その底側内側縁部に内向きに張り出したカード支持部３４，３４を備え、このカード支持部３４，３４にカードＢの両側縁部を支持させることにより、信号伝達用のパッド部ｂ１，ｂ１...を底側に露出させた状態にカードＢを収容できるようになっている。
【００４０】
前面蓋部４は、筐体開口部Ａａに嵌り込む蓋本体３５と、蓋本体３５の後面に一体に突設された連結部３６とを備え、連結部３６をトレイ本体３０の前端部と連結することによりカードトレイ２の前端部にフランジ状に固定され、トレイ本体３０と前面蓋部とが一体化されている。また、この前面蓋部４には、蓋本体３５の外周部にゴム等の弾性材からなる環状の蓋用止水部材３７が備えられている。
【００４１】
蓋本体３５は、筐体開口部Ａａの形状に整合させて形成され、正面視角丸長方形状であってトレイ挿抜方向に一定の厚みを有する角丸直方体状を成し、その外周部に周方向に向けた止水部材固定用の溝部３８が形成され、この溝部３８に蓋用止水部材３７が嵌合されている。
【００４２】
蓋用止水部材３７は、図４に示すように、その周方向断面が溝部３８の深さよりも大きく形成され、蓋本体３５の外周面より全周に亘って外向きに突出した状態に溝部３８に嵌合され、蓋本体３５が筐体開口部Ａａに嵌り込んだ際には、この蓋用止水部材３７が筐体開口部Ａａ内側面と蓋本体３５外周面との間に挟持され、筐体開口部Ａａ内側面と蓋本体３５外周面との隙間を封止するようになっている。
【００４３】
また、蓋本体３５には、一方の側部後面に突出した凸部３９が一体に備えられ、蓋本体３５の前面に開口したトレイ挿抜方向に向けたピン挿通孔４０が操作用部材２０の位置と連続配置となるように形成され、このピン挿通孔４０に止水ピン４１がトレイ挿抜方向に移動可能に収容されている。
【００４４】
このピン挿通孔４０は、後端開口縁部に内向きに張り出した半割円形状の一対の抜け止め挟持部４２，４２を備え、両抜け止め挟持部４２，４２の後端縁部に後述する止水ピン４１の抜け出し防止部４３が係合するようになっている。
【００４５】
止水ピン４１は、丸棒状に形成され、その前端部にピン挿通孔４０に移動可能に嵌り込むピストン状のスライド密封部４４を備え、スライド密封部４４の外周部に周方向に向けた止水部材固定用の溝部４５が形成され、この溝部４５にゴム等の弾性材からなる環状のピン用止水部材４６が嵌合されている。
【００４６】
ピン用止水部材４６は、その周方向断面が止水部材固定用の溝部４５の深さよりも大きく形成され、スライド密封部４４の外周面より全周に亘って外向きに突出した状態に溝部４５に嵌合され、ピン挿通孔４０の内側面とスライド密封部４４外周面との間に挟持され、ピン挿通孔４０内側面と止水ピン４１外周面との隙間を封止するようになっている。
【００４７】
また、止水ピン４１の後端部には、外向きに張り出した形状の抜け出し防止部４３を備え、この抜け出し防止部４３がピン挿通孔４０の後端開口縁部、即ち、両抜け止め挟持部４２，４２と係合することにより止水ピン４１がピン挿通孔４０の前端開口より抜け出ないようになっている。
【００４８】
尚、上述した両抜け止め挟持部４２，４２は、互いに弾性変形可能に形成されており、止水ピン４１は、抜け出し防止部４３が両抜け止め挟持部４２，４２を押し開くことにより後端部を凸部３９の後端より突出させた状態にピン挿通孔４０内に収容できるようになっている。
【００４９】
このように構成されたトレイ式カードコネクタ１は、図５に示すように筐体開口部Ａａを通してカードトレイ２を電子機器Ａ内に挿入すると、電子機器Ａ内に配置されたハウジング３のトレイ挿入部５にトレイ本体３０が挿入されるとともに、前面蓋部４が筐体開口部Ａａに嵌り込む。
【００５０】
その際、カードトレイ２の挿入に伴い、回動レバー２２の一端２２ｂがカードトレイ２に後方に押し込まれて回動し、それと連動して操作用部材２０が前方に移動し押し込み可能な状態となるとともに、止水ピン４１がピン挿通孔４０の前方に押し込み可能、且つ、その後端が操作用部材２０の被押圧部２３に当接した状態となる。
【００５１】
この状態においては、筐体開口部Ａａの内側面と前面蓋部４の外周面との隙間が蓋用止水部材３７によって水密され、ピン挿通孔４０の内周面と止水ピン４１の外周面との隙間がピン用止水部材４６によって水密されるので、筐体開口部Ａａから電子機器Ａ内部への水の侵入が防止されている。
【００５２】
一方、図５の状態からカードトレイ２を引き出すには、棒状のピン材４５を前端開口よりピン挿通孔４０に挿し込み、止水ピン４１の前端を押し込み方向に押圧すると、図６に示すように、止水ピン４１がピン挿通孔４０内を移動し、後端側が凸部３９の後端より突出し、操作用部材２０を後方に向けて押し込む。
【００５３】
それにより、操作用部材２０の押し込み動作に連動して回動レバー２２が回動し、回動レバー２２の端部がカードトレイ２の後端縁を押圧し、カードトレイ２を抜け出し方向に押し出すようになっている。
【００５４】
尚、上述の実施例では、操作用部材２０と止水ピン４１とを別々に設けた例について説明したが、止水ピン４１を操作用部材２０の前端に一体に備えるようしてもよい。その場合、カードトレイ２の挿抜及び回動レバー２２の双方と連動して操作用部材２０が挿抜方向で移動するようになっている。
【００５５】
また、上述の実施例ではトレイ押出し手段に回動レバー２２を用いた例について説明したが、トレイ押出し手段の態様はこれに限定されず、例えば、カードトレイ２とともに移動するスライダと、ハウジング３に反力を取ってスライダを押し出し方向に付勢する押し出しバネと、カードトレイ２をトレイ挿入部５に挿入した位置でスライダをロックするロック手段とを備え、ロック手段によるロックが操作用部材２０の押し込み動作によって解除される構造としたものであってもよい。
【００５６】
また、上述のトレイ式カードコネクタでは、止水ピン及び蓋用止水部材を用いないことにより、安価な非防水タイプのトレイ式カードコネクタとして使用することができる。
【００５７】
次に、本発明に係るトレイ式カードコネクタの第２の実施態様を図７〜図１０に示す実施例に基づいて説明する。尚、上述の実施例と同様の構成には同一符号を付して説明し、符号Ａは電子機器、符号Ｂはカードである。
【００５８】
このトレイ式カードコネクタ５０は、カードＢが収容されるカードトレイ５１と、カードトレイ５１が挿入されるトレイ挿入部５２を有するハウジング５３と、トレイ挿入部５２内に突出するようにハウジング５３に配設された複数のコンタクト５４，５４...とを備え、筐体開口部Ａａを通してカードトレイ５１をハウジング５３に挿入することにより、カードトレイ５１に収容されたカードＢの各パッド部ｂ１，ｂ１...が対応する各コンタクト５４，５４...と接触し、カードＢとカードコネクタ５０が実装された基板とを電気的に接続するようになっている。
【００５９】
また、このカードコネクタ５０は、カードトレイ５１をハウジング５３より取出すための取出し機構を備え、この取出し機構によりカードトレイ５１をハウジング５３及び電子機器Ａ筐体より取出せるようになっている。
【００６０】
ハウジング５３は、絶縁性合成樹脂製の底板部５５を有するハウジング本体５６と、導電性金属製のシールドカバー５７とを組み付けることによりトレイ挿入部５２が前面に開口した中空箱状に形成され、前面の開口よりカードトレイ５１を出し入れするようになっている。
【００６１】
ハウジング本体５６は、平板状の底板部５５と、底板部５５の両側縁部より立ち上げた形状の側壁部５８，５９とを備え、底板部５５と両側壁部５８，５９とによって、上面側が凹んだ形状のトレイ挿入部５２が形成され、その上面がシールドカバー５７の天板によって覆われて前面に開口した中空箱状を成すようになっている。
【００６２】
このハウジング本体５６の底板部５５には、導電性金属板材を打ち抜き・折り曲げ加工することにより形成された複数のコンタクト５４，５４...がインサート成形により組み込まれ、各コンタクト５４，５４...の弾性接触片部がトレイ挿入部５２内に突出し、弾性接触片部１５先端の接点がカードＢの対応するパッド部ｂ１と接触するようになっている。
【００６３】
カードトレイ５１は、図８に示すように、カードＢが収容されるトレイ本体６０と、トレイ本体６０の前端部にトレイ本体６０に対し互いにトレイ挿抜方向で相対移動可能な前面蓋部６１とを備えている。
【００６４】
トレイ本体６０は、絶縁性合成樹脂材により平板状に形成され、底側にカードＢが嵌り込む凹状のカード収容部６２を備え、信号伝達用のパッド部ｂ１，ｂ１...を底側に露出させた状態にカードＢを収容できるようになっている。
【００６５】
また、トレイ本体６０には、両側部にハウジングに設けられたばね状の係合部材６３，６３と係合する係合凹部６４，６４が形成され、この係合凹部６４，６４が係合部材６３，６３と係合することにより、カードトレイ５１がハウジング５３に対し保持されるようになっている。
【００６６】
また、トレイ本体６０の前端部には、前方に開口した接合凹部６５を備え、この接合凹部６５内に前面蓋部６１に備えられた接合凸部６６が挿入されるようになっている。
【００６７】
接合凹部６５は、トレイ本体６０がそのトレイ引き出し方向側端部のトレイ幅方向に間隔を置いて形成された一対の支持部６７，６７を有することにより、トレイ本体６０のトレイ引き出し方向端部に前面蓋部６１側及び本体厚み側に開口した矩形切欠き状に形成されている。
【００６８】
両支持部６７，６７は、トレイ本体６０の他の部分の板厚に比して厚い形状に形成され、カードトレイ５１をハウジング５３に挿入した際に、支持部６７，６７のトレイ挿入方向側端面がハウジング５３の端面に当て止めされるようになっている。
【００６９】
また、この接合凹部６５には、両支持部６７，６７に両端を支持させた棒状の当て止め部材６８が接合凹部６５の互いに対向する内側面間に架け渡した配置に備えられ、この当て止め部材６８が接合凸部６６に形成されたスライド孔６９に挿入されるようになっている。
【００７０】
前面蓋部６１は、筐体開口部Ａａに嵌り込む蓋本体７０と、蓋本体７０の後面より突出した接合凸部６６とを備え、蓋本体７０の外周部に蓋用止水部材７１を備えている。
【００７１】
接合凸部６６は、直方体状に形成され、トレイ幅方向両端面に開口したスライド挿抜方向に長い長孔状のスライド孔６９を備え、このスライド孔６９内に当て止め部材６８が挿入されることにより、トレイ本体６０に対し前面蓋部６１が相対移動可能となっている。
【００７２】
即ち、前面蓋部６１は、図９に示す通常位置、即ち、接合凸部６６を接合凹部６５のトレイ挿入方向奥側まで挿入させた位置と、図１０に示す所定の引き出し位置、即ちトレイ本体６０に支持された当て止め部材６８がスライド孔６９のトレイ挿入方向端部内縁６９ａに当て止めされる位置との間でスライド移動することができるようになっている。
【００７３】
また、トレイ本体６０に対し所望の引き出し位置まで前面蓋部６１を相対移動させた際には、当て止め部材６８にスライド孔６９のトレイ挿入方向端部内縁６９ａが当て止めされ、当て止め部材６８とスライド孔６９のトレイ挿入方向端部内縁６９ａとが伝達手段を構成し、前面蓋部６１にトレイ引き出し方向の力が作用すると、スライド孔６９のトレイ挿入方向端部内縁６９ａが当て止め部材６８をトレイ引き出し方向に向けて押圧し、それにより当て止め部材６８を介してトレイ本体６０に前面蓋部６１に作用するトレイ引き出し方向の力が伝達されるようになっている。
【００７４】
蓋本体７０は、筐体開口部Ａａの形状に整合させて形成され、正面視角丸長方形状であってトレイ挿抜方向に一定の厚みを有する角丸直方体状を成し、その外周部に周方向に向けた止水部材固定用の溝部７２が形成され、この溝部７２に蓋用止水部材７１が嵌合されている。
【００７５】
蓋用止水部材７１は、その周方向断面が溝部７２の深さよりも大きく形成され、蓋本体７０の外周面より全周に亘って外向きに突出した状態に溝部７２に嵌合され、蓋本体７０が筐体開口部Ａａに嵌り込んだ際には、この蓋用止水部材７１が筐体開口部Ａａ内側面と蓋本体７０外周面との間に挟持され、筐体開口部Ａａ内側面と蓋本体７０外周面との隙間を封止するようになっている。
【００７６】
また、蓋本体７０の下縁部には、下向きに突出した引掛け部７３を備え、前面蓋部６１をトレイ本体６０から引き出す際に、蓋本体７０の縁部に人体の指の爪等が引っ掛け易いようになっている。
【００７７】
このように構成されたトレイ式カードコネクタ５０では、図９に示すように、筐体開口部Ａａを通してカードトレイ５１を電子機器Ａ内に挿入すると、電子機器Ａ内に配置されたハウジング５３のトレイ挿入部５２にトレイ本体６０が挿入されるとともに、前面蓋部６１が筐体開口部Ａａに嵌り込む。
【００７８】
その際、接合凹部６５に接合凸部６６が嵌り込み、前面蓋部６１は、トレイ本体６０に対し引き出し方向にのみ相対移動可能な状態になっている。
【００７９】
この状態においては、筐体開口部Ａａの内側面と前面蓋部６１の外周面との隙間が蓋用止水部材７１によって水密されるので、筐体開口部Ａａから電子機器Ａ内部への水の侵入が防止されている。
【００８０】
また、この状態においては、トレイ本体６０の両側部に形成された係合凹部６４，６４とハウジング５３に設けられたばね状の係合部材６３，６３とが係合し、トレイ本体６０がハウジング５３に対しロックされ、一定以上の力を加えないとトレイ本体６０がハウジング５３より引き出せない状態となっている。
【００８１】
次に、図９に示す状態からカードトレイ５１を引き出すには、まず、蓋本体７０下縁部の引掛け部７３に指の爪を引っ掛け、その状態で前面蓋部６１をトレイ引き出し方向に引っ張る。
【００８２】
その際、トレイ本体６０は、係合凹部６４，６４が係合部材６３，６３と互いに係合してハウジング５３に高い保持力で保持されているとともに、トレイ本体６０に対し前面蓋部６１が引き出し可能な状態にあるので、図１０に示すように、前面蓋部６１のみが小さな引き出し力で電子機器Ａ筐体より引き出される。
【００８３】
そして、前面蓋部６１を当て止め部材６８にガイドさせつつスライド移動させ、スライド孔６９のトレイ挿入方向側端内縁が当て止め部材６８に当て止めされる位置まで引き出すと、前面蓋部６１に２本の指で摘むのに十分な摘み代が確保される。
【００８４】
そして、前面蓋部６１を２本の指で摘まむことにより、より強いトレイ引き出し方向力を前面蓋部６１に作用させることができ、また、前面蓋部６１に引き出し力を作用させると、伝達手段を構成するスライド孔６９のトレイ挿入方向端部内縁６９ａが当て止め部材６８をトレイ引き出し方向に向けて押圧し、それにより当て止め部材６８を介してトレイ本体６０に前面蓋部６１に作用するトレイ引き出し方向の力が伝達される。
【００８５】
そして、この状態で前面蓋部６１を２本の指で摘まんで一定以上の引き出し力、即ち、ハウジング５３に対する保持力を上回る力をトレイ本体６０に作用させると、係合部材６３，６３が弾性変形して保持力が解除され、トレイ本体６０がトレイ挿入部５２より引き出すことにより、容易にカードトレイ５１をハウジング５３及び電子機器Ａ筐体より引き出すことができるようになっている。
【００８６】
尚、本発明に係るトレイ式カードコネクタの態様は、上述した第１及び第２の実施例に限定されず、例えば、図１１〜図１３に示すプッシュイン−プッシュアウト方式のトレイ式カードコネクタであってもよい。尚、上述の実施例と同様の構成には同一符号を付して説明を省略する。
【００８７】
このトレイ式カードコネクタ８０は、カードトレイ８１が挿入されるトレイ挿入部８２を有するハウジング８３と、ハウジング８３内をカードトレイ８１とともに移動するイジェクタ８４と、ハウジング８３に反力を取ってイジェクタ８４を押し出し方向に付勢する押し出しバネ８５と、イジェクタ８４に配置されたハートカム８６及びハートカム８６の周りに配されたループ状のピンガイド溝８７と、一端にピンガイド溝８７に摺動可能に挿入された係合ピン部８８ａを有し、他端がハウジング８３に回動可能に支持されたロックピン８８とを備えている。
【００８８】
そして、このトレイ式カードコネク８０では、カードトレイ８１の押し込み動作に連動してロックピン８８の係合ピン部８８ａがピンガイド溝８７内を循環移動し、カードトレイ８１をハウジング８３に挿し込むと、その際の押し込み動作により係合ピン部８８ａがハートカム８６と係合する位置に移動してイジェクタ８４のトレイ押し出し方向の移動を規制し、再度のカードトレイ８１押し込み動作により係合ピン部８８ａがハートカム８６より離脱して係合が解除され、イジェクタ８４が押し出しバネ８５に押されてカードトレイ８１を抜き出し方向に押し出すようになっている。
【００８９】
カードトレイ８１は、平板状のトレイ本体９０と、トレイ本体９０の後端部にフランジ状に配置された筐体開口部Ａａに嵌り込む前面蓋部９１とを備えている。
【００９０】
前面蓋部９１は、筐体開口部Ａａの形状に整合させて形成され、正面視角丸長方形状であってトレイ挿抜方向に一定の厚みを有する角丸直方体状を成し、その外周部に周方向に向けた止水部材固定用の溝部９２が形成され、この溝部９２に蓋用止水部材９３が嵌合されている。
【００９１】
蓋用止水部材９３は、その周方向断面が溝部９２の深さよりも大きく形成され、前面蓋部９１の外周面より全周に亘って外向きに突出した状態に溝部９２に嵌合され、前面蓋部９１が筐体開口部Ａａに嵌り込んだ際には、この蓋用止水部材９３が筐体開口部Ａａ内側面と前面蓋部９１外周面との間に挟持され、筐体開口部Ａａ内側面と前面蓋部９１外周面との隙間を封止するようになっている。
【００９２】
このように構成されたトレイ式カードコネクタ８０では、図１３（ａ）に示すように、筐体開口部Ａａを通してカードトレイ８１を電子機器Ａ内に挿入した状態にあっては、電子機器Ａ内に配置されたハウジング８３のトレイ挿入部８２にトレイ本体９０が挿入されるとともに、前面蓋部９１が筐体開口部Ａａに嵌り込み、筐体開口部Ａａの内側面と前面蓋部９１の外周面との隙間が蓋用止水部材９３によって水密されるので、筐体開口部Ａａから電子機器Ａ内部への水の侵入が防止されている。
【００９３】
図１３（ａ）の状態からカードトレイ８１の前面蓋部９１を押すと、前面蓋部９１が蓋用止水部材９３で止水された状態のまま、図１３（ｂ）に示すように、筐体開口部Ａａ内を摺動し、それに伴いカードトレイ全体が押し込まれ、ロックピン８８の係合ピン部８８ａがハートカムより外れ、イジェクタ８４のロックが解除され、図１４（ｃ）に示すように、イジェクタ８４が押し出しバネ８５に押されてカードトレイ８１を抜き出し方向に押し出す。
【００９４】
尚、カードの態様は、上述の各実施例に示したＩＣカードに限定されず、その他の例えば、フラッシュメモリーカード等のであってもよい。
【符号の説明】
【００９５】
Ａ  電子機器
Ａａ  筐体開口部
Ｂ  カード
ｂ１  パッド部
１  カードコネクタ
２  カードトレイ
３  ハウジング
４  前面蓋部
５  トレイ挿入部
６  コンタクト
１０  ハウジング本体
１１  シールドカバー
１２  底板部
１３，１４  側壁部
１５  弾性接触片
１５ａ  接点
２０  操作用部材
２１  操作用部材保持部
２２  回動レバー
２３  被押圧部
３０  トレイ本体
３１  カード収容部
３２  係合部材
３３  係合凹部
３４  カード支持部
３５  蓋本体
３６  連結部
３７  蓋用止水部材
３８  溝部
３９  凸部
４０  ピン挿通孔
４１  止水ピン
４２  抜け止め挟持部
４３  抜け出し防止部
４４  スライド密封部
４５  溝部
４６  ピン用止水部材
４７  ピン部材
５０  カードコネクタ
５１  カードトレイ
５２  トレイ挿入部
５３  ハウジング
５４  コンタクト
５５  底板部
５６  ハウジング本体
５７  シールドカバー
５８，５９  側壁部
６０  トレイ本体
６１  前面蓋部
６２  カード収容部
６３  係合部材
６４  係合凹部
６５  接合凹部
６６  接合凸部
６７  支持部
６８  当て止め部材
６９  スライド孔
７０  蓋本体
７１  蓋用止水部材
７２  溝部
７３  引掛け部
８０  トレイ式カードコネクタ
８１  カードトレイ
８２  トレイ挿入部
８３  ハウジング
８４  イジェクタ
８５  押し出しバネ
８６  ハートカム
８７  ピンガイド溝
８８  ロックピン
９０  トレイ本体
９１  前面蓋部
９２  溝部
９３  蓋用止水部材
【図１】
2015106554.tif 000003
【図２】
2015106554.tif 000004
【図３】
2015106554.tif 000005
【図４】
2015106554.tif 000006
【図５】
2015106554.tif 000007
【図６】
2015106554.tif 000008
【図７】
2015106554.tif 000009
【図８】
2015106554.tif 000010
【図９】
2015106554.tif 000011
【図１０】
2015106554.tif 000012
【図１１】
2015106554.tif 000013
【図１２】
2015106554.tif 000014
【図１３】
2015106554.tif 000015